(57)【要約】【課題】  飲料の注出中に電源スイッチが切られた場合も、装置への電源の供給を保持して飲料注出手段の操作を可能にする飲料ディスペンサの制御装置を提供する。【解決手段】  飲料を注出する飲料注出手段２７と、これを制御する制御手段と、装置に電源を供給する電源供給手段４０とを備えた飲料ディスペンサの制御装置において、電源供給手段４０は、装置に電源供給を行う導通路を形成する手動式の電源スイッチ２３と、制御手段によって飲料注出手段２７による飲料の注出が開始されたときオンし、飲料注出手段２７による飲料の注出が終了されたときオフする他のスイッチ手段５１ａを具備し、電源スイッチ２３と他のスイッチ手段５１ａを並列に構成する。【選択図】      図２
2006315711.tif 000002
【特許請求の範囲】
【請求項１】
飲料を注出する飲料注出手段と、これを制御する制御手段と、装置に電源を供給する電源供給手段とを備えた飲料ディスペンサの制御装置において、
前記電源供給手段は、装置に電源供給を行う導通路を形成する手動式の電源スイッチと、前記制御手段によって前記飲料注出手段による前記飲料の注出が開始されたときオンし、前記飲料注出手段による前記飲料の注出が終了されたときオフする他のスイッチ手段とを具備し、前記電源スイッチと前記他のスイッチ手段を並列に構成したことを特徴とする飲料ディスペンサの制御装置。
【請求項２】
飲料を注出する飲料注出手段と、これを制御する制御手段と、前記飲料注出手段に電源を供給する注出電源供給手段とを備えた飲料ディスペンサの制御装置において、
前記注出電源供給手段は、前記飲料注出手段の電源の入切を行う手動式の注出電源スイッチと、前記制御手段によって前記飲料注出手段による前記飲料の注出が開始されたときオンし、前記飲料注出手段による前記飲料の注出が終了されたときオフする電源補足スイッチとを備え、前記注出電源スイッチと前記電源補足スイッチを並列に構成したことを特徴とする飲料ディスペンサの制御装置。
【発明の詳細な説明】
【技術分野】
【０００１】
本発明は、飲料ディスペンサの制御装置に関し、特に飲料を注出する飲料注出手段と、装置に電源を供給する電源供給手段と、電源の入切を行う電源スイッチを備えて、飲料をグラス等の飲用容器に注出する飲料ディスペンサの制御装置に関する。
【背景技術】
【０００２】
従来、カップやグラス等の飲用容器に、清涼飲料や炭酸（発泡）飲料等の飲料を自動的に注ぐ飲料ディスペンサが知られている。この飲料ディスペンサは、飲料が供給される注出口に設けられた注出バルブを開閉操作することによって、その注出口の下方に配設された載置台上に置かれた飲用容器に、所定量の飲料を分配供給するように構成されている。
また、このような飲料ディスペンサにおいては、飲用容器に供給される飲料が溢れ出ないように、注出口から注出される飲料を制御する必要があるため、例えば引用文献１に開示されるように、飲料の注出が自動的に制御されるように構成されている。そして、このように飲料の注出を自動化することによって、飲料ディスペンサの操作者は、煩雑な飲料の注出操作を行う必要がないため、飲料の注出量のばらつきを抑えるとともに作業性を向上することができる。
【特許文献１】特開２００３−３３５３９７号公報
【発明の開示】
【発明が解決しようとする課題】
【０００３】
ところで、このような飲料の注出を自動化した飲料ディスペンサにおいては、例えば飲料の注出口に設けられた注出バルブを開閉操作するためのバルブ駆動モータ等から成る飲料注出部への電源供給を入切する電源スイッチが設けられている。この電源スイッチは、装置に電源供給を行う導通路をオン（導通）、オフ（解除）する他、万一の場合に飲料注出部が誤作動して無駄な飲料が注出されたりしないように、飲料を注出しないときは飲料注出部の電源を遮断するために備えられたものである。例えば、夜間等で管理者がいない場合、この電源スイッチはオフされる。
ところが、このような装置において、例えばバルブ駆動モータにより注出バルブが開放された状態で、誤ってこの電源スイッチが切られると、バルブ駆動モータへの電源供給が遮断されて注出バルブを閉止することができなくなり、注出バルブから注出される飲料がグラス等の飲用容器から溢れ出て周囲を汚すとともに、飲料を無駄にしてしまう問題が生じる。
【０００４】
本発明は、このような問題を解決するため、飲料の注出中にこの電源スイッチが誤って切られた場合も、バルブ駆動モータ等の飲料注出手段への電源の供給を保持して注出バルブの閉止を可能にし、注出バルブから注出される飲料が飲用容器から溢れ出て周囲を汚すとともに、飲料を無駄にしてしまう問題を防止することができる飲料ディスペンサの制御装置を提供することを目的とするものである。
【課題を解決するための手段】
【０００５】
上記課題を解決するため、請求項１に係る発明は、飲料を注出する飲料注出手段と、これを制御する制御手段と、装置に電源を供給する電源供給手段とを備えた飲料ディスペンサの制御装置において、前記電源供給手段は、装置に電源供給を行う導通路を形成する手動式の電源スイッチと、前記制御手段によって前記飲料注出手段による前記飲料の注出が開始されたときオンし、前記飲料注出手段による前記飲料の注出が終了されたときオフする他のスイッチ手段とを具備し、前記電源スイッチと前記他のスイッチ手段を並列に構成したものである。
これによれば、前記飲料注出手段によって前記飲料が注出されているとき、前記電源スイッチが誤って切られた場合も装置への電源の供給を保持して前記飲料注出手段の動作を可能にすることができる。
【０００６】
請求項２に係る発明は、飲料を注出する飲料注出手段と、これを制御する制御手段と、前記飲料注出手段に電源を供給する注出電源供給手段とを備えた飲料ディスペンサの制御装置において、前記注出電源供給手段は、前記飲料注出手段の電源の入切を行う手動式の注出電源スイッチと、前記制御手段によって前記飲料注出手段による前記飲料の注出が開始されたときオンし、前記飲料注出手段による前記飲料の注出が終了されたときオフする電源補足スイッチとを備え、前記注出電源スイッチと前記電源補足スイッチを並列に構成したものである。
これによれば、前記飲料注出手段によって前記飲料が注出されているとき、前記注出電源スイッチが誤って切られた場合も前記飲料注出手段への電源の供給を保持して前記飲料注出手段の動作を可能にすることができる。
【発明の効果】
【０００７】
以上説明したように請求項１に係る発明によれば、飲料注出手段によって飲料が注出されているとき電源スイッチが誤って切られた場合も、他のスイッチ手段により装置への電源の供給を保持することで、それによる飲料注出手段の動作を可能にし、飲料注出手段から飲料が注出されたままの状態となることを防止して、飲料注出手段から注出される飲料が飲料容器から溢れ出て周囲を汚したり、飲料を無駄にしてしまうことを防止することができる。
また、請求項２に係る発明によれば、飲料注出手段によって飲料が注出されているとき注出電源スイッチが誤って切られた場合も、電源補足スイッチにより同様に飲料注出手段への電源の供給を保持することで、その動作を可能にし、飲料が注出されたままの状態となることを防止して、飲料が飲料容器から溢れ出たり、飲料を無駄にしてしまうことを防止することができる。
【０００８】
したがって、これらにより信頼性の高い飲料ディスペンサを提供することができる。
【発明を実施するための最良の形態】
【０００９】
本発明に係る好適な実施例について図を参照して説明する。なお、以下に示す本発明の実施例は、ビールや発泡酒等の発泡飲料を提供する飲料ディスペンサに関する。
図１は本発明の実施例の飲料ディスペンサを示す概略構成図、図２は本発明の実施例の飲料ディスペンサであって、装置に電源を供給する電源供給回路に電源を保持する手段を備えた場合を示す実施例１の回路図、図３は本発明の実施例の飲料ディスペンサであって、飲料注出手段の注出電源供給回路にその電源を保持する手段を備えた場合を示す実施例２の回路図である。
図１に示すように、この飲料ディスペンサは、本体１と、ビール飲料を貯蔵したビール樽（飲料貯蔵容器）２と、炭酸ガスを封入した炭酸ガスボンベ３とを接続して用いられる。
【００１０】
炭酸ガスボンベ３は、その内部に高圧の炭酸ガスを封入してなり、その頂部に口金部４を備えている。そして、内部の炭酸ガスを本体１に接続されるガスホース３１に圧送する。なお、口金部４にはガスホース３１に圧送する炭酸ガスの圧力を所定の圧力に調整する図示しない調圧部が設けられている。
ビール樽２は、その内部にビール飲料を収容する。また、ビール樽２の頂部には、飲料導出口５ａと加圧ガス導入口５ｂを有する注出ヘッド（所謂ディスペンスヘッド）５が取り付けられている。そして、この加圧ガス導入口５ｂから供給される炭酸ガスによってビール樽２内を加圧し、飲料導出口５ａからビール飲料を注出可能にする。さらに、注出ヘッド５に備えた飲料導出口５ａは、飲料送出管３６を介して本体１内に配設された後述の冷却管路３７に接続されている。また、加圧ガス導入口５ｂは、本体１内でガスホース３１に接続されたガス導入管３２にガス導入ホース３３を介して接続されている。
【００１１】
本体１は、その内部に冷却水槽１０を有している。そして、冷却水槽１０内には、入口側を飲料送出管３６に接続され、その出口側を後述の飲料注出コック１１に接続する冷却管路３７が設けられている。また、冷却管路３７の入口側には、それを通過するビール飲料の温度を測定する温度センサ１２とその流量を計測する流量計１３が配設されている。また、冷却水槽１０内には、この冷却管路３７を浸漬するように冷却水が貯留され、この冷却水は、図示しない冷却装置と、攪拌装置によって一様に冷却される。このため、飲料送出管３６から冷却管路３７に供給されるビール飲料は、冷却管路３７内を通過しながら適温に冷却される。
飲料注出コック１１は、本体１前方に施設され、入口側を冷却管路３７に接続されている。また、飲料注出コック１１は、コック本体１１ａとその上部に設けられ前後方向（図の左右方向）に傾動可能なコックレバー１１ｂから構成され、コック本体１１ａには、供給されたビール飲料を液状で注出する液注出ノズル１１ｃと、これを泡状に生成して注出する泡注出ノズル１１ｄが設けられている。そして、この飲料注出コック１１において、コックレバー１１ｂを手前側（図の左方）へ傾動すると、冷却管路３７からコック本体１１ａに流入するビール飲料が液状のまま液注出ノズル１１ｃから注出され、また、コックレバー１１ｂを後方側（図の右方）へ傾動すると、コック本体１１ａに流入するビール飲料から気泡が生成されて泡状のビール飲料が泡注出ノズル１１ｄから注出される。なお、コックレバー１１ｂが直立状態（図示の状態）にあるときは、液注出ノズル１１ｃと泡注出ノズル１１ｄの両方が閉止され、飲料注出コック１１は閉塞される。
【００１２】
飲料注出コック１１の上方には、コックレバー駆動装置１５が設けられている。このコックレバー駆動装置１５は、例えば後述の駆動モータ（飲料注出手段）２７によってコックレバー１１ｂを前後方向に傾動させるものである。また、このコックレバー駆動装置１５は、コックレバー１１ｂの前傾、直立、後傾等の動作位置を検出するレバー位置検出手段１６を有している。
飲料注出コック１１の下方には、グラスやジョッキ等の飲用容器を保持する容器保持部１８が設けられている。容器保持部１８は、飲料容器を載置、保持する断面略Ｌ字状の容器受台部１８ａと、この容器受台部１８ａを傾動させる受台駆動部１８ｂを有している。そして、この容器受台１８ａは、受台駆動部１８ｂにより、飲用容器を直立に保持する直立位置と、所定角度に傾いた傾斜位置とに回動する。
【００１３】
また、容器保持部１８の下方には、こぼれたビール飲料を受けるトレイ１９が配設されている。また、本体１の上部前面には、この装置の電源を入切したり、あるいは駆動モータ２７等から成る飲料注出手段の電源を入切したりする電源スイッチ２３や、飲料の注出を行う注出ボタン２４等が配置された操作パネル２１が設けられている。
【実施例１】
【００１４】
次に、このような飲料ディスペンサにおいて、装置に電源を供給する電源供給回路に電源を保持する手段を備えた実施例１の回路図である図２について説明する。
図において２３は本体１の上部前面に設けられた電源スイッチであって、操作者の操作によりオン（導通）、オフ（解除）される手動式のスイッチ（例えばＥＬＢ）である。この電源スイッチ２３の一方は電源ソケット６３に接続され、他方は後述の駆動モータ制御回路５０ａに直流電源を供給する整流回路６４に接続されている。
図において５０ａは、この飲料ディスペンサのコックレバー駆動装置１５を駆動する駆動モータ２７の駆動を制御する駆動モータ制御回路である。この駆動モータ２７は、モータドライバ５７および制御マイコン５８によりその動作が制御される。ここで、モータドライバ５７は、リレー接点５４の一方に接続され、そのリレー接点５４の他方は整流回路６４から延設された電源線６５に接続されている。したがって、リレー接点５４を介してモータドライバ５７に電源が供給され、これにより駆動モータ２７が駆動可能な状態となる。ここで、リレー接点５４は、電源線６５に接続されたリレー５５に電流が流れることによりオフ状態からオン状態となる。さらに、このリレー５５は、リレードライバ６０および制御マイコン５８によりその通電が制御される。すなわち、駆動モータ２７は、このように制御されるリレー接点５４を介してモータドライバ５７に電源が供給され、その駆動が可能な状態に制御される。
【００１５】
一方、電源スイッチ２３と並列にリレー接点（他のスイッチ手段）５１ａが設けられている。このリレー接点５１ａは、リレー接点５４とモータドライバ５７の間に一端が接続されたリレー５２ａに電流が流れることにより、オフ状態からオン状態となるように構成されている。したがって、このリレー接点５１ａは、リレー接点５４がオン状態となってモータドライバ５７に電源が供給されるとき、電源スイッチ２３をバイパスして、例えば整流回路６４等の装置に電源を供給可能にする電源自己保持回路を形成する。
このように構成される装置の電源供給回路（電源供給手段）４０の動作について説明する。先ず、操作者により電源スイッチ２３が操作され、これがオン状態になると、整流回路６４および駆動モータ制御回路５０等の装置に電源が供給されて待機状態となる。そして、飲料の注出ボタン２４が押されると、図示しない制御手段の制御指令に基づいて制御マイコン５８がリレードライバー６０を介してリレー５５に通電し、これを励磁する。これにより、リレー接点５４がオン状態になる。そして、駆動モータ２７を駆動するモータドライバ５７に電源が供給される。このとき、リレー５２ａも同時に通電されるから、これによりリレー接点５１ａがオン状態になる。
【００１６】
さらに、モータドライバ５７を制御する制御マイコン５８により駆動モータ２７が駆動され、飲料注出コック１１のコックレバー１１ｂが、コックレバー駆動装置１５により前後に傾動される。これにより、その液注出ノズル１１ｃと泡注出ノズル１１ｄがそれぞれ開放され、その各ノズル１１ｃ、１１ｄから、液状および泡状のビール飲料が容器保持部１８に載置されたジョッキ等の飲用容器に注出される。
このとき、ジョッキ等の飲料容器を載置する容器保持部１８は、容器受台部１８ａを受台駆動部１８ｂにより回動することで、注出されるビール飲料の注出量に応じてその飲料容器を傾動し、過剰な泡が生成されないように制御される。また、飲料注出コック１１から注出されるビール飲料は、冷却水槽１０内に配置される冷却管路３７を通過する間に所定の温度に冷却されるように構成されている。このようにして、ビール飲料が飲用容器に、適宜な注出状態で注出される。そして、所定量のビール飲料が飲用容器に注出されると、レバーコック１１ｂが直立位置に戻される。
【００１７】
そして、図１に示すレバー位置検出手段１６がこの状態を検出すると図示しない制御手段の制御指令に基づいて、制御マイコン５８がリレードライバー６０を介してリレー５５の通電を遮断してこれを解磁する。これにより、リレー接点５４がオフ状態になり、さらにこれによりリレー５２ａの通電が遮断される。そうすると、これに連動するリレー接点５１ａがオフ状態に戻り、これによって電源スイッチ２３をバイパスする装置の電源自己保持状態も解消される。このようにして、ビール飲料の注出が終了される。
ところで、このように構成される本実施形態の飲料ディスペンサにおいて、コックレバー１１ｂがコックレバー駆動装置２５により傾動され、その液注出ノズル１１ｃまたは泡注出ノズル１１ｄが開放され、ビール飲料が飲用容器に注出されている途中で、操作者が誤って電源スイッチ２３を操作してその状態をオフにした場合、リレー５２ａの通電によってリレー接点５１ａがオン状態にあるから、整流回路６４および駆動モータ制御回路５０等の装置の電源供給が保持される。このため、駆動モータ２７による液注出ノズル１１ｃおよび泡注出ノズル１１ｄの閉止が可能である。したがって、このような場合にも飲料注出コック１１の液注出ノズル１１ｃまたは泡注出ノズル１１ｄからビール飲料が注出されたままの状態となることが防止され、これらから注出されるビール飲料が飲料容器から溢れ出て周囲を汚したり、その飲料を無駄にしてしまうことを防止することができる。
【００１８】
また、ビール飲料の注出が終了し、リレー接点５４を介してモータドライバ５７に電源が供給されなくなると、この装置の電源保持状態は解除されるから、電源スイッチ２３がオフ状態にあるときには、注出ボタン２４が操作されても駆動モータ２７は動作せず、したがって飲料が飲料注出コック１１から注出されることはない。
【実施例２】
【００１９】
次に、図１に示す飲料ディスペンサにおいて、飲料注出手段の電源供給回路にその電源を保持する手段を備えた実施例２の回路図である図３について説明する。図３に示す回路図は、図２の駆動モータ制御回路５０ａに、電源スイッチ２３、およびこれに係る電源の保持手段を備えたものである。なお、図２と同じ、または同様の機能を有する構成には同じ符号を付す。
図において２３は、実施例１と同様に、例えば本体１の上部前面に設けられた電源スイッチ（注出電源スイッチ）であって、操作者の操作によりオン、オフされる手動式のスイッチである。この電源スイッチ２３の一方は、例えば実施例１に示す整流回路６４から延設された電源線６５に接続され、他方はリレー接点５４に接続されている。そして、このリレー接点５４は実施例１と同様にモータドライバ５７に接続されている。したがって、電源スイッチ２３およびリレー接点５４を介してモータドライバ５７に電源が供給される。
【００２０】
一方、電源スイッチ２３と並列にリレー接点（電源補足スイッチ）５１ｂが設けられている。このリレー接点５１ｂは、実施例１と同様にリレー接点５４とモータドライバ２７の間に一端が接続されたリレー５２ｂに電流が流れることにより、オフ状態からオン状態となるように構成されている。したがって、このリレー接点５１は、電源スイッチ２３とリレー接点５４がオン状態となってモータドライバ５７に電源が供給可能な状態のとき、電源スイッチ２３をバイパスしてモータドライバ５７に電源を供給し、駆動モータ２７を駆動可能にする電源自己保持回路を形成する。
このように構成される飲料注出手段の注出電源供給回路（注出電源供給手段）５０ｂの動作について説明する。先ず、操作者により電源スイッチ２３が操作され、これがオン状態になると、リレー接点５４を介してモータドライバ５７に電源が供給可能な待機状態となる。そして、飲料の注出ボタン２４が押されると、図示しない制御手段の制御指令に基づいて制御マイコン５８がリレードライバー６０を介してリレー５５に通電し、これを励磁する。これにより、電源スイッチ２３に直列に接続されたリレー接点５４がオン状態になる。これにより、駆動モータ２７を駆動するモータドライバ５７に電源が供給される。このとき、リレー５２ｂも同時に通電されるから、これによりリレー接点５１ｂがオン状態になる。そして、モータドライバ５７を制御する制御マイコン５８により駆動モータ２７が駆動され、飲料注出コック１１からビール飲料が容器保持部１８に載置されたジョッキ等の飲用容器に注出される。
【００２１】
そして、所定量のビール飲料が飲用容器に注出されると、図示しない制御手段の制御指令に基づいて、制御マイコン５８がリレードライバー６０を介してリレー５５の通電を遮断してこれを解磁する。これにより、リレー接点５４がオフ状態になり、さらにこれによりリレー５２ｂの通電が遮断される。そうすると、これに連動するリレー接点５１ｂがオフ状態に戻り、これによって電源スイッチ２３をバイパスする飲料注出手段の電源保持状態も解消される。このようにして、ビール飲料の注出が終了される。
ところで、このように構成される本実施形態の飲料ディスペンサにおいて、ビール飲料が飲用容器に注出されている途中で、操作者が誤って電源スイッチ２３を操作してその状態をオフにした場合、実施例１と同様にリレー５２ｂの通電によってリレー接点５１ｂがオン状態にあるから、駆動モータ２７の電源供給が保持される。したがって、駆動モータ２７による液注出ノズル１１ｃおよび泡注出ノズル１１ｄの閉止が可能であるから、このような場合にもビール飲料が注出されたままの状態となることが防止され、注出されるビール飲料が飲料容器から溢れ出て周囲を汚したり、その飲料を無駄にしてしまうことを防止することができる。また、ビール飲料の注出が終了されると、実施例１と同様に電源保持状態は解除されるから、電源スイッチ２３がオフ状態にあるときには、注出ボタン２４が操作されても飲料が飲料注出コック１１から注出されることはない。
【００２２】
以上の説明のように、本発明の実施例においては、電源スイッチ２３が誤って切られた場合も電源の供給を保持することにより、いずれも信頼性の高い飲料ディスペンサの制御装置を提供することができる。尚、本発明は本実施形態に示す装置のみに限定されず、本発明の趣旨の包含する範囲でもちろん応用変更が可能である。
【図面の簡単な説明】
【００２３】
【図１】本発明の実施例の飲料ディスペンサを示す概略構成図である。
【図２】本発明の実施例の飲料ディスペンサであって、装置に電源を供給する電源供給回路に電源を保持する手段を備えたものを示す回路図である。
【図３】本発明の実施例の飲料ディスペンサであって、飲料注出手段の注出電源供給回路にその電源を保持する手段を備えたものを示す回路図である。
【符号の説明】
【００２４】
１  本体
２  ビール樽（飲料貯蔵容器）
３  炭酸ガスボンベ
１１  飲料注出コック
１１ｃ  液注出ノズル
１１ｄ  泡注出ノズル
１５  コックレバー駆動装置
２３  電源スイッチ（注出電源スイッチ）
２７  駆動モータ（飲料注出手段）
４０  電源供給回路（電源供給手段）
５０ａ  駆動モータ制御回路
５０ｂ  注出電源供給回路（注出電源供給手段）
５１ａ  リレー接点（他のスイッチ手段）
５１ｂ  リレー接点（電源補足スイッチ）
５２ａ  リレー
５２ｂ  リレー
５４  リレー接点
５５  リレー
【図１】
2006315711.tif 000003
【図２】
2006315711.tif 000004
【図３】
2006315711.tif 000005